(57)【特許請求の範囲】
【請求項１】
垂下された吊部材又は鋼材に振止部材を交差状に連結するための交差金具であって、
垂下された吊部材又は鋼材の長手方向に延びる本体と、本体の上下２箇所に設けられて垂下された吊部材又は鋼材に本体を装着するとともに装着された本体がその弾性復元力で垂下された吊部材又は鋼材を本体中央部分側へ押圧する係止孔を備えた第１取付部と、
振止部材の長手方向に延びる本体と、本体の上下２箇所に設けられて振止部材に本体を装着するとともに装着された本体がその弾性復元力で振止部材を本体中央部分側へ押圧する係止孔を備えた第２取付部とを備え、
垂下された吊部材又は鋼材と振止部材で形成される面を境に第１部材の本体中央部分と第２取付部の本体中央部分が同一側になるように第１取付部と第２取付部を重ね合わせるとともに、第１取付部と第２取付部を回動自在に接続し、
第２取付部の本体中央部分と係止孔の間に側縁を切り欠いた切欠部を形成したことで、当該切欠部が第１取付部に取り付けられた垂下された吊部材又は鋼材と当接し、第２取付部材の回動範囲を当該切欠部の分だけ広げることを可能としたことを特徴とする交差金具。
【請求項２】
垂下された吊部材又は鋼材に設けられる振止部材どうしを交差状に連結するための交差金具であって、
一方の振止部材の長手方向に延びる本体と、本体の上下２箇所に設けられて振止部材に本体を装着するとともに装着された本体がその弾性復元力で振止部材を本体中央部分側へ押圧する係止孔を備えた第１取付部と、
他方の振止部材の長手方向に延びる本体と、本体の上下２箇所に設けられて振止部材に本体を装着するとともに装着された本体がその弾性復元力で振止部材を本体中央部分側へ押圧する係止孔を備えた第２取付部とを備え、
双方の振止部材で形成される面を境に第１部材の本体中央部分と第２取付部の本体中央部分が同一側になるように第１取付部と第２取付部を重ね合わせるとともに、第１取付部と第２取付部を回動自在に接続し、
第２取付部の本体中央部分と係止孔の間に側縁を切り欠いた切欠部を形成したことで、当該切欠部が第１取付部に取り付けられた一方の振止部材と当接し、第２取付部材の回動範囲を当該切欠部の分だけ広げることを可能としたことを特徴とする交差金具。
【請求項３】
第２取付部の係止孔を同一方向又は反対方向に形成したことを特徴とする請求項１又は２記載の交差金具。
【発明の詳細な説明】
【技術分野】
【０００１】
本願発明は、垂下された吊部材又は鋼材に振止部材を交差状に連結するため、あるいは垂下された吊部材又は鋼材に設けられる振止部材どうしを交差状に連結するための交差金具に関するものである。
【背景技術】
【０００２】
垂下された吊部材又は鋼材に振止部材を交差状に連結するための交差金具に関する先行技術文献としては、特許文献１及び特許文献２に示すものが挙げられる。
【０００３】
特許文献１は、図５に示すものであり、所定の電設資材Ｄ（図示省略）を吊持すべく、天井スラブ等から吊下されている複数本の吊杆部材Ｂ１と、これら複数本の吊杆部材Ｂ１相互間に架装される適数本の棒状ぬき部材Ｂ２と、吊杆部材Ｂ１、ぬき部材Ｂ２相互を交差連結させる交差連結金具１とから成り、交差連結金具１は、弾撥性ある金具主板２の長手方向両端近傍部に、金具主板２の弾性に抗して彎曲させたときに吊杆部材Ｂ１或いはぬき部材Ｂ２のいずれか一方が貫挿され、金具主板２が原状に復原しようとするときに生じる弾性復帰力にて前記部材に圧接する内周縁面３Ａを有する取付部３を設け、金具主板２の略中央に設けた平板状連結部４に、吊杆部材Ｂ１或いはぬき部材Ｂ２のいずれか他方に嵌合するＶ字形縁面７Ａを有する支持溝７が側壁６に切欠形成された断面略溝形の交差支持板５を、その奥底壁８にて回動自在に連結して成ることを特徴とする揺振防止機能を備えた電設資材用吊持装置が開示されている。
【０００４】
特許文献２は、図６に示すものであり、一方の棒状体の二箇所に対して弾性復元力で係合保持可能な係合部６を備え、且つ前記両係合部６を互いに近づける側への弾性変形操作で該係合部６が係合解除される形態に屈曲形成されている一対の連結部材５が、互いに逆向き姿勢となる背中合わせで相対回転自在に枢支連結されている棒状体用交差連結具Ａが開示されている。
【先行技術文献】
【特許文献】
【０００５】
【特許文献１】特開昭５７  −１６６８０９号公報
【特許文献２】特開２００９−１８５９４０号公報
【発明の概要】
【発明が解決しようとする課題】
【０００６】
しかしながら、上記する特許文献１及び特許文献２には、それぞれ以下のような問題があった。
（１）特許文献１は、金属主板２に取り付けられているぬき部材Ｂ２で、交差支持板５に取り付けられている吊杆部材Ｂ１を押圧し、固定する構造となっている。そのため、交差連結金具１で吊杆部材Ｂ１及びぬき部材Ｂ２を連結支持された後に、吊杆部材Ｂ１及びぬき部材Ｂ２（特に押圧される吊杆部材Ｂ１）のスライドは困難であり、交差連結金具１を取り外して再度取り付ける作業が必要となる。
（２）特許文献２は、この点、連結部材５，５がそれぞれ別々に棒状体３，４と係合しているので、棒状体３，４のスライドは容易であり、棒状体用交差連結具Ａの調整（位置調整など）は可能である（同文献明細書［０００９］）。しかしながら、一対の連結部材５，５が互いに逆向き姿勢となる背中合わせで枢支連結されているため、交差する棒状体３，４で形成される面を境にその両側から調整操作を行わなくてはならず、必ずしも作業性に優れているとは言い難かった。
【０００７】
これに対して、本願発明者は、上記特許文献１及び特許文献２の問題点を解決して、交差金具の調整に優れるとともに、その調整作業にも優れたものを提供すべく鋭意試験・研究を行い、本願発明を完成するに至った。
【課題を解決するための手段】
【０００８】
上記目的を達成するために、本願発明の第１の発明は、垂下された吊部材又は鋼材に振止部材を交差状に連結するための交差金具であって、垂下された吊部材又は鋼材の長手方向に延びる本体と、本体の上下２箇所に設けられて垂下された吊部材又は鋼材に本体を装着するとともに装着された本体がその弾性復元力で垂下された吊部材又は鋼材を本体中央部分側へ押圧する係止孔を備えた第１取付部と、振止部材の長手方向に延びる本体と、本体の上下２箇所に設けられて振止部材に本体を装着するとともに装着された本体がその弾性復元力で振止部材を本体中央部分側へ押圧する係止孔を備えた第２取付部とを備え、垂下された吊部材又は鋼材と振止部材で形成される面を境に第１部材の本体中央部分と第２取付部の本体中央部分が同一側になるように第１取付部と第２取付部を重ね合わせるとともに、第１取付部と第２取付部を回動自在に接続したことを特徴とする交差金具である。
第２の発明は、垂下された吊部材又は鋼材に設けられる振止部材どうしを交差状に連結するための交差金具であって、一方の振止部材の長手方向に延びる本体と、本体の上下２箇所に設けられて振止部材に本体を装着するとともに装着された本体がその弾性復元力で振止部材を本体中央部分側へ押圧する係止孔を備えた第１取付部と、他方の振止部材の長手方向に延びる本体と、本体の上下２箇所に設けられて振止部材に本体を装着するとともに装着された本体がその弾性復元力で振止部材を本体中央部分側へ押圧する係止孔を備えた第２取付部とを備え、双方の振止部材で形成される面を境に第１部材の本体中央部分と第２取付部の本体中央部分が同一側になるように第１取付部と第２取付部を重ね合わせるとともに、第１取付部と第２取付部を回動自在に接続したことを特徴とする交差金具である。
ここで「垂下された吊部材又は鋼材」としては、例えば、吊りボルト，全ネジ，丸鋼等が挙げられる。
また、「振止部材」としては、全ネジボルト等が挙げられる。
第３の発明は、第２取付部の本体中央部分と係止孔の間に側縁を切り欠いた切欠部を形成したことを特徴とする同交差金具である。
第４の発明は、第２取付部の係止孔を同一方向又は反対方向に形成したことを特徴とする同交差金具である。
【発明の効果】
【０００９】
上記した本願発明によれば、以下のような効果を有する。
（１）本願発明は、第１取付部と第２取付部がそれぞれ別個に垂下された吊部材又は鋼材及び振止部材と係止しているので、垂下された吊部材又は鋼材と振止部材のスライドは容易であり、交差金具の調整（位置調整など）は可能である。
（２）また、本願発明は、垂下された吊部材又は鋼材と振止部材で形成される面を境に第１部材の本体中央部分と第２取付部の本体中央部分が同一側になるように第１取付部と第２取付部を重ね合わせて接続されているので、当該面の片側（反本体中央部分側）からの調整操作だけで交差金具の調整（位置調整など）ができるので、作業性に優れたものとなっている。
（３）垂下された吊部材又は鋼材と振止部材の間に交差金具を配置していないので、交差金具取付時に、垂下された吊部材又は鋼材と振止部材の空間を保つ必要がない。
（４）垂下された吊部材又は鋼材に交差部材を仮止めできる。それにより、交差部材の位置を調整して振止部材を取り付けられたり、取り付けた振止部材の位置を調整したりして、振止部材のたわみを調整できる。
（５）第１取付部と第２取付部は回動自在に接続されており交差角度の調整が容易であるために、垂下された吊部材又は鋼材と振止部材を取り付けた状態で振止部材のたわみを調整できるとともに、垂下された吊部材又は鋼材に取り付けた振止部材をたわみなく他方の部材に取り付けることができる。
（６）第２取付部の本体中央部分と係止孔の間に側縁を切り欠いた切欠部を形成したことで、垂下された吊部材又は鋼材と振止部材を取り付けた状態で第１取付部と第２取付部の交差角度を広げることができる（例えば、４５度回転を確保できる）。
（７）第２取付部の係止孔を同一方向又は反対方向に形成したことで、振止部材の取付を容易にする。すなわち、係止孔を同一方向に形成した場合には、第２取付部と平行に位置する振止部材に対して第１取付部を係止孔の開口方向にスライドさせることで、振止部材は係止孔に挿入されてその取付作業が容易となる。また、係止孔を反対方向に形成した場合には、第２取付部と交差状（Ｘ状）に位置する振止部材に対して第２取付部を回転させることで、振止部材は係止孔に挿入されてその取付作業が容易となる。
（８）上記（１）〜（７）の効果は、振止部材どうしを交差状に連結するための交差金具においても同様である。
【図面の簡単な説明】
【００１０】
【図１】本願発明の実施形態を示す説明図（１）。
【図２】本願発明の実施形態を示す説明図（２）。
【図３】本願発明の実施形態を示す説明図（３）。
【図４】本願発明の実施形態を示す説明図（４）。
【図５】特許文献１に開示された先行技術を示す説明図。
【図６】特許文献２に開示された先行技術を示す説明図。
【発明を実施するための形態】
【００１１】
本願発明の実施形態を「垂下された吊部材又は鋼材に振止部材を交差状に連結するための交差金具」に基づいて説明する。なお、本願発明は「振止部材どうしを交差状に連結するための交差金具」としても使用できるが、前者と同旨であるためその説明については省略する。
図１〜図４は、本願発明の実施形態を示す説明図である。図１は、本願発明に係る交差金具の全体構造を示す斜視図である。図１に示すように、交差金具１０は、第１取付部２０と第２取付部３０を備える。第１取付部２０は、垂下された吊部材又は鋼材（図示省略）の長手方向に延びる本体２１と、本体２１の上下２箇所に設けられて垂下された吊部材又は鋼材に本体２１を装着するとともに装着された本体２１がその弾性復元力で垂下された吊部材又は鋼材を本体中央部分２２側へ押圧する係止孔２５を備える。
【００１２】
また、第２取付部３０は、振止部材（図示省略）の長手方向に延びる本体３１と、本体３１の上下２箇所に設けられて振止部材に本体３１を装着するとともに装着された本体３１がその弾性復元力で振止部材を本体中央部分３２側へ押圧する係止孔３５を備える。また、本体中央部分３２と係止孔３５の間に側縁を切り欠いた切欠部３６を備える。
【００１３】
そして、交差金具１０は、垂下された吊部材又は鋼材と振止部材で形成される面を境に第１部材２０の本体中央部分２２と第２取付部３０の本体中央部分３２が同一側になるように第１取付部２０と第２取付部３０を重ね合わせるとともに、第１取付部２０と第２取付部３０を回動自在に接続したものである。
【００１４】
図２は、本願発明に係る交差金具の使用状態を示す斜視図であり、図３は、本願発明に係る交差金具の使用状態を示す断面図（縦）である。図２及び図３に示すように、交差金具１０は、第１取付部２０で垂下された吊部材又は鋼材４０と、第２取付部３０で振止部材５０とそれぞれ別個に係合している（図３に図示するように、吊部材又は鋼材４０と振止部材５０の間には接点がない。或いは図示省略するが、吊部材又は鋼材４０と振止部材５０の間には接点があっても各部材間に圧力がほぼ無い状態である。）。従って、吊部材又は鋼材４０および振止部材５０のスライドは容易であり、交差金具１０の位置調整などの調整は可能である。
【００１５】
また、垂下された吊部材又は鋼材４０と振止部材５０で形成される面を境に第１部材２０の本体中央部分２２と第２取付部３０の本体中央部分３２が同一側（図３に図示するＡ側）になるように第１取付部２０と第２取付部３０を重ね合わせて接続されている。従って、当該面の片側（反本体中央部分側：図３に図示するＢ側）からの調整操作だけで交差金具１０の位置調整などの調整ができるので、作業性に優れたものとなっている。
【００１６】
図４は、本願発明に係る交差金具の使用状態を示す部分拡大図である。第１取付部２０と第２取付部３０は回動自在となっているが、第２取付部３０は、第１取付部２０に取り付けられた垂下された吊部材又は鋼材４０と当接し、その回動範囲が規制される。しかし、この当接する部分、すなわち本体中央部分３２と係止孔３５の間に側縁を切り欠いた切欠部３６を形成することで、第２取付部３０の回動範囲をその分だけ広げることができ、第１取付部２０と第２取付部３０の交差角度を広範囲に調整できる。
【産業上の利用可能性】
【００１７】
本願発明に係る吊り交差金具は、垂下された吊部材又は鋼材に振止部材を交差状に連結するために広く利用できるものであるとともに、振止部材どうしを交差状に連結するためにも広く利用できるものである。
【符号の説明】
【００１８】
１０  交差金具
２０  第１取付部
２１  本体
２２  本体中央部分
２３  本体上下先端部分
２５  係止孔
３０  第２取付部
３１  本体
３２  本体中央部分
３３  本体上下先端部分
３５  係止孔
３６  切欠部
４０  垂下された吊部材又は鋼材
５０  振止部材
【図１】
0005547515.tif 000002
【図２】
0005547515.tif 000003
【図３】
0005547515.tif 000004
【図４】
0005547515.tif 000005
【図５】
0005547515.tif 000006
【図６】
0005547515.tif 000007